(57)【要約】【課題】電源回路が発火した場合のユーザへの影響を低減することができる制御装置を提供する。【解決手段】制御装置１０は、照明器具を制御するための制御装置１０であって、ユーザによって操作されるボタンと、ボタンへの操作に応じて照明器具を制御するための信号を出力する制御回路２１と、制御装置１０の外部から供給される交流電力を直流電力に変換し、当該直流電力を制御回路２１に供給する電源回路２２と、制御回路２１及び電源回路が実装された基板２０と、基板２０に対向する前板５１であって、ボタンが配置される前板５１を含み、基板を収容する筐体３０とを備え、前板５１には、基板２０に向かって突出し、筐体３０内で電源回路２２の周囲を囲う隔壁９０が一体形成されている。【選択図】図４
2017011219.tif 000002
【特許請求の範囲】
【請求項１】
機器を制御するための制御装置であって、
ユーザによって操作されるボタンと、
前記ボタンへの操作に応じて前記機器を制御するための信号を出力する制御回路と、
前記制御装置の外部から供給される交流電力を直流電力に変換し、当該直流電力を前記制御回路に供給する電源回路と、
主面を有し、前記主面に前記制御回路及び前記電源回路が実装された基板と、
前記基板の前記主面に対向する前板であって、前記ボタンが配置される前板を含み、前記基板を収容する筐体とを備え、
前記前板には、前記基板に向かって突出し、前記筐体内で前記電源回路の周囲を囲う隔壁が一体形成されている
制御装置。
【請求項２】
前記主面に垂直な方向から見た場合に、前記前板のうち、前記隔壁によって囲まれた領域と重ならない領域には、前記ボタンが挿通される開口が設けられる
請求項１に記載の制御装置。
【請求項３】
前記筐体は、
前記前板を含み、前記主面側から前記基板を覆う前側筐体と、
前記主面と反対側から前記基板を覆う後側筐体とからなる
請求項１または２に記載の制御装置。
【請求項４】
前記筐体は、前記基板の側方に位置する側板を含み、
前記隔壁には、前記側板の一部が含まれる
請求項１〜３のいずれか１項に記載の制御装置。
【請求項５】
前記主面に垂直な方向から見た場合の前記基板の形状は、矩形であり、
前記電源回路は、前記主面の隅部に実装される
請求項１〜４のいずれか１項に記載の制御装置。
【請求項６】
前記隔壁は、前記電源回路と前記制御回路とを隔てる
請求項１〜５のいずれか１項に記載の制御装置。
【請求項７】
さらに、前記筐体を壁に取り付けるための金具を備える
請求項１〜６のいずれか１項に記載の制御装置。
【請求項８】
前記筐体は、前記基板以外の、回路が実装された基板を収容しない
請求項１〜７のいずれか１項に記載の制御装置。
【請求項９】
前記機器は、照明器具であり、
前記制御回路は、前記ボタンへの操作に応じて前記照明器具を調光制御するための信号を出力する
請求項１〜８のいずれか１項に記載の制御装置。
【発明の詳細な説明】
【技術分野】
【０００１】
本発明は、照明器具などの機器を制御するための制御装置に関する。
【背景技術】
【０００２】
従来、壁面などの造営面に設置される、機器を制御するための制御装置が知られている。例えば、特許文献１には、照明器具の調光レベルを操作する調光スイッチが露出するように、壁面に配設される調光制御装置が開示されている。
【先行技術文献】
【特許文献】
【０００３】
【特許文献１】特開２０１２−００４０１７号公報
【発明の概要】
【発明が解決しようとする課題】
【０００４】
ところで、交流電力により動作する制御装置の中には、交流電力を直流電力に変換する電源回路を有する制御装置がある。このような制御装置においては、故障により電源回路が発火するなどの危険性があり、万が一発火したとしてもユーザへの影響を最小限に止める必要がある。
【０００５】
本発明は、電源回路が発火した場合のユーザへの影響を低減することができる制御装置を提供する。
【課題を解決するための手段】
【０００６】
本発明の一態様に係る制御装置は、機器を制御するための制御装置であって、ユーザによって操作されるボタンと、前記ボタンへの操作に応じて前記機器を制御するための信号を出力する制御回路と、前記制御装置の外部から供給される交流電力を直流電力に変換し、当該直流電力を前記制御回路に供給する電源回路と、主面を有し、前記主面に前記制御回路及び前記電源回路が実装された基板と、前記基板の前記主面に対向する前板であって、前記ボタンが配置される前板を含み、前記基板を収容する筐体とを備え、前記前板には、前記基板に向かって突出し、前記筐体内で前記電源回路の周囲を囲う隔壁が一体形成されている。
【発明の効果】
【０００７】
本発明の一態様に係る制御装置は、電源回路が発火した場合のユーザへの影響を低減することができる。
【図面の簡単な説明】
【０００８】
【図１】図１は、実施の形態１に係る制御装置を含む、照明システムの構成を示す模式図である。
【図２】図２は、実施の形態１に係る制御装置の外観斜視図である。
【図３】図３は、基板を前方から見た図である。
【図４】図４は、筐体に収容された状態の基板を前方から見た図である。
【図５】図５は、前側筐体を後方から見た図である。
【図６】図６は、筐体を後方から見た図である。
【図７】図７は、実施の形態１に係る制御装置の壁への取り付けを説明するための図である。
【図８】図８は、隔壁の第一の変形例を説明するための模式図である。
【図９】図９は、隔壁の第二の変形例を説明するための模式図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本発明を十分に理解するために添付図面および以下の説明を提供するのであって、これらによって特許請求の範囲に記載の主題を限定することを意図するものではない。
【００１１】
なお、各図は模式図であり、必ずしも厳密に図示されたものではない。また、各図において、実質的に同一の構成に対しては同一の符号を付しており、重複する説明は省略または簡略化される場合がある。
【００１２】
（実施の形態１）
［制御装置の構成］
まず、実施の形態１に係る制御装置を含む、照明システムについて説明する。図１は、実施の形態１に係る制御装置を含む、照明システムの構成を示す模式図である。
【００１３】
図１に示される照明システム１００は、制御装置１０と、複数の照明器具１１０と、壁スイッチ１２０とを備える。
【００１４】
照明システム１００は、一般家庭（住宅）、店舗、または事務所等に用いられ、１以上（図１では、複数）の照明器具１１０の調光率等を、現在時刻や場面に応じて制御するための照明システムである。照明システム１００は、例えば、省エネ用途または演出用途でも用いられる。
【００１５】
制御装置１０は、例えば、住宅等の壁や制御盤に設置され、ユーザの操作に応じて照明器具１１０の調光やタイムスケジュールなどの制御を行う照明器具１１０用のコントローラである。制御装置１０は、具体的には、無線通信を用いて照明器具１１０に制御信号（例えば、調光信号）を送信することにより、照明器具１１０の制御（点灯、消灯、調光または調色）を行う。
【００１６】
壁スイッチ１２０は、制御装置１０及び複数の照明器具１１０への交流電力の供給をオン及びオフするための、壁に埋め込み設置されるスイッチである。交流電力は、電力系統１３０から供給される。ユーザは、壁スイッチ１２０の押下により、制御装置１０への電源のオン及びオフと、複数の照明器具１１０の点灯及び消灯とを制御することができる。
【００１７】
照明器具１１０は、機器の一例であって、制御装置１０によって制御される。照明器具１１０の光源としては、ＬＥＤが用いられる。また、実施の形態１では、照明器具１１０は、調色機能に対応しており、照明器具１１０には、発光色が異なる少なくとも２種類のＬＥＤが用いられている。
【００１８】
なお、照明器具１１０は、ＬＥＤが用いられた構成に限定されるものではない。例えば、照明器具１１０には、光源として、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子が用いられてもよい。また、照明器具１１０には、光源として蛍光灯が用いられてもよい。
【００１９】
照明システム１００を使用するユーザは、照明器具１１０を点灯または消灯させたい場合には、制御装置１０または壁スイッチを操作すればよい。また、ユーザは、照明器具１１０の調光または調色を行いたい場合、制御装置１０を操作すればよい。
【００２０】
以下、制御装置１０の具体的な構成について説明する。なお、以下の説明では、制御装置１０を壁に取り付けた場合の室内側（図中のＺ軸方向＋側）は、「前」、その反対側（Ｚ軸方向−側）は、「後」と表現される。図中のＹ軸方向は、制御装置１０が壁に取り付けられた場合の鉛直方向に相当し、Ｙ軸方向＋側は、「上」、Ｙ軸方向−側は、「下」のように表現される。図中のＸ軸方向＋側は、「左」、Ｘ軸方向−側は、「右」のように表現される。
【００２１】
また、以下の説明における「平面視形状」は、特に断りのない限り、前後方向（Ｚ軸方向）から見た形状を意味する。
【００２２】
［制御装置の全体構成］
まず、制御装置１０の全体構成について説明する。図２は、制御装置１０の外観斜視図である。なお、図２においては、化粧カバー４０が取り外された状態の制御装置１０が図示されている。
【００２３】
図２に示されるように、制御装置１０は、基板２０と、基板２０を収容する筐体３０と、筐体３０を前方から覆う化粧カバー４０とを備える。筐体３０は、具体的には、前側筐体５０と、後側筐体６０とからなり、前側筐体５０に含まれる前板５１には、スケジュールボタン７１、調光ボタン７２、ＯＦＦ／ＯＮボタン７３、及び、設定ボタン７４などの、ユーザによって操作されるボタンが複数配置される。また、前板５１には、表示部７０及び発光部７５も配置される。
【００２４】
［基板］
まず、基板２０について、図２に加えて図３及び図４を参照しながら説明する。図３は、基板２０を前方から見た図である。図４は、筐体３０に収容された状態の基板２０を前方から見た図である。
【００２５】
図２〜図４に示されるように、基板２０は、平面視形状が矩形の基板である。基板２０は、例えば、ガラスエポキシなどの樹脂を基材とする樹脂基板であるが、アルミニウム合金などの金属を基材とするメタルベース基板であってもよいし、アルミナなどのセラミックを基材とするセラミック基板であってもよい。
【００２６】
基板２０には、回路部品（回路）が実装される。基板２０は、具体的には、前側筐体５０と対向する第一主面と、第一主面と反対側の、後側筐体６０と対向する第二主面とを有し、第一主面は、主として、回路部品の部品本体が配置される実装面として使用される。また、第二主面は、半田面として使用される。なお、一部の回路部品が第二主面を実装面として実装されてもよい。
【００２７】
図３に模式的に図示されるように、基板２０の第一主面には、具体的には、制御回路２１及び電源回路２２が実装される。基板２０の第一主面においては、制御回路２１及び電源回路２２は、それぞれまとまって別々の領域に実装されている。
【００２８】
制御回路２１は、ボタンへの操作に応じて照明器具１１０を制御するための信号（以下、制御信号と記載する）を出力する。制御回路２１は、例えば、調光ボタン７２への操作に応じて照明器具１１０を調光制御するための制御信号を出力する。
【００２９】
制御回路２１には、前板５１に配置されたボタンの押下を検知するための検知回路、及び、照明器具１１０に制御信号を送信（出力）する通信回路が含まれる。通信回路は、より具体的には、特定小電力無線、ｂｌｕｅｔｏｏｔｈ（登録商標）、または、無線ＬＡＮ（例えば、Ｗｉ−Ｆｉ（登録商標））などの通信規格に対応した通信回路である。
【００３０】
また、制御回路２１には、表示部７０に時刻等の表示を行うための表示制御回路、及び、発光部７５を発光させるための、複数のＬＥＤ及びその点灯回路なども含まれる。
【００３１】
なお、制御回路２１には、プロセッサまたはマイクロコンピュータなどが含まれてもよい。また、制御回路２１には、半導体メモリなどの記憶装置が含まれてもよい。
【００３２】
電源回路２２は、制御装置１０の外部（例えば、電力系統１３０）から供給される交流電力を直流電力に変換し、当該直流電力を制御回路２１に供給する。電源回路２２は、具体的には、スイッチング電源回路である。電源回路２２には、電解コンデンサもしくはセラミックコンデンサ等の容量素子、抵抗素子、コイル素子、チョークコイル（チョークトランス）、ノイズフィルタ、及び、ダイオードもしくは集積回路素子等の半導体素子等の回路部品が含まれる。
【００３３】
電源回路２２は、基板２０の隅部に実装される。実施の形態１では、電源回路２２は、基板２０の第一主面のうち、Ｘ軸方向＋側で、Ｙ軸方向−側の隅部に実装されるが、電源回路２２が実装される領域は、特に限定されない。
【００３４】
図４に示されるように、制御装置１０においては、前板５１に、電源回路２２の周囲を囲み、電源回路２２と制御回路２１とを隔てる隔壁９０が形成されている。隔壁９０は、具体的には、側板５４の一部である隔壁部５４ａと、側板５５の一部である隔壁部５５ａと、仕切り板５７と、仕切り板５８とからなる。このような隔壁９０によって得られる効果については後述する。
【００３５】
［前側筐体］
次に、筐体３０について説明する。上述のように、筐体３０は、具体的には、前側筐体５０と、後側筐体６０とからなる。前側筐体５０と後側筐体６０とは、例えば、ネジにより固定されて筐体３０を形成する。まず、前側筐体５０について、図２に加えてさらに図５を用いて説明する。図５は、前側筐体５０を後方から見た図である。
【００３６】
前側筐体５０は、第一主面側から基板２０を覆う、後方側が開口した略直方体の箱状の部材である。前側筐体５０は、具体的には、ＡＢＳ樹脂により形成されるが、ＰＢＴ樹脂などその他の樹脂により形成されてもよいし、金属により形成されてもよい。前側筐体５０は、基板２０の第一主面に対向配置された前板５１と、基板２０の側方に位置する、側板５３、側板５４、側板５５、及び、側板５６と、仕切り板５７及び仕切り板５８とを備える。
【００３７】
前板５１は、前側筐体５０のうち、基板２０の第一主面にほぼ平行な平板状の部位である。前板５１は、平面視形状が矩形であり、Ｘ軸方向に沿って延びる２つの長辺と、Ｙ軸方向にそって延びる２つの短辺とを有する。
【００３８】
前板５１には、ボタンが挿通される開口が設けられる。例えば、図５に示される開口７１ａには、スケジュールボタン７１が挿通され、開口７２ａには、調光ボタン７２が挿通され、開口７３ａには、ＯＦＦ／ＯＮボタン７３が挿通される。
【００３９】
スケジュールボタン７１は、照明器具１１０のスケジュール設定をするためにユーザが操作するボタンである。スケジュール設定は、指定時間に照明器具１１０の明るさを自動で切替える機能である。前板５１には、６つのスケジュールボタンが配置される。スケジュール設定において、指定時間等の情報は表示部７０に表示される。
【００４０】
調光ボタン７２は、照明器具１１０の調光を制御するためにユーザが操作するボタンである。前板５１には、２つの調光ボタン７２が配置される。上側に位置する調光ボタン７２が押されると、照明器具１１０の調光レベルが上がって明るくなり、下側に位置する調光ボタン７２が押されると、照明器具１１０の調光レベルが下がって暗くなる。なお、調光レベルは、発光部７５が調光レベルに応じて発光することにより、視認可能である。
【００４１】
ＯＦＦ／ＯＮボタン７３は、照明器具１１０を消灯及び点灯するためにユーザが操作（押下）するボタンである。ユーザがＯＦＦ／ＯＮボタン７３を押すたびに、照明器具１１０の消灯と点灯とが切り替わる。
【００４２】
また、前板５１には、表示部７０及び発光部７５も設けられる。表示部７０は、上述のスケジュール設定において指定時間等の情報が表示される表示デバイスであって、具体的には、液晶パネル及び表示制御回路などからなる。発光部７５は、照明器具１１０の調光レベルを発光により表示する。発光部７５は、具体的には、前板５１から露出した導光板、筐体３０の内側から基板導光板に光を発するＬＥＤ、及びその点灯回路などから構成される。
【００４３】
また、前板５１には、さらに、施工時に使用される設定ボタン７４及び赤外線受光部７６も設けられる。設定ボタン７４は、照明器具１１０と、制御装置１０との無線通信のペアリングを行うためのボタンである。赤外線受光部７６は、専用のリモートコントローラにより、施工用の指示を受け付けるための受光デバイスである。設定ボタン７４及び赤外線受光部７６は、施工後は通常、使用されないため、化粧カバー４０によって覆われ、外部からは視認できない。
【００４４】
側板５３は、前側筐体５０のうち、前板５１の上側の長辺に沿って後方に突出した略長尺平板状の部位である。側板５３は、基板２０の上側に位置する。
【００４５】
側板５５は、前側筐体５０のうち、前板５１の下側の長辺に沿って後方に突出した略長尺平板状の部位である。側板５５は、基板２０の下側に位置する。側板５５のうち、電源回路２２の左側に位置する部分（Ｘ軸方向＋側の部分）は、電源回路２２の周囲を囲む隔壁９０を構成する隔壁部５５ａである。側板５３及び側板５５は、Ｙ軸方向において対向する。
【００４６】
側板５４は、前側筐体５０のうち、前板５１の左側の短辺に沿って後方に突出した略長尺平板状の部位である。側板５４は、基板２０の左側に位置する。側板５４のうち、電源回路２２の左側に位置する部分（Ｙ軸方向−側の部分）は、電源回路２２の周囲を囲む隔壁９０を構成する隔壁部５４ａである。
【００４７】
側板５６は、前側筐体５０のうち、前板５１の右側の短辺に沿って後方に突出した略長尺平板状の部位である。側板５６は、基板２０の右側に位置する。側板５３及び側板５５は、Ｘ軸方向において対向する。
【００４８】
仕切り板５７は、前板５１から後方に突出し、Ｙ軸方向に沿う略長尺平板状の部位である。仕切り板５７は、制御回路２１と電源回路２２との間に位置し、制御回路２１と電源回路２２とを仕切る。仕切り板５７の高さ（Ｚ軸方向の長さ）は、側板５３〜５６よりもやや低い。
【００４９】
仕切り板５８は、前板５１から後方に突出し、電源回路２２との干渉を避けるようにＸ軸方向に伸びる略長尺平板状の部位である。仕切り板５８は、制御回路２１と電源回路２２との間に位置し、制御回路２１と電源回路２２とを仕切る。なお、仕切り板５８の高さ（Ｚ軸方向の長さ）は、側板５４〜５６よりもやや低い。
【００５０】
以上説明した、隔壁部５４ａ、隔壁部５５ａ、仕切り板５７、及び、仕切り板５８は、隔壁９０を構成する。隔壁９０は、基板２０に向かって突出し、電源回路２２を側方から囲う。隔壁９０は、前板５１（前側筐体５０）と一体形成される。
【００５１】
［後側筐体］
次に、後側筐体６０について説明する。後側筐体６０は、第二主面側から基板２０を覆う、前方側が開口した略直方体の箱状の部材である。後側筐体６０は、具体的には、ＡＢＳ樹脂により形成されるが、ＰＢＴ樹脂などその他の樹脂により形成されてもよいし、金属により形成されてもよい。後側筐体６０の全体形状は、前側筐体５０とＸ−Ｙ平面に対して対称的な形状であるが、後側筐体６０は、制御装置１０を構造物（例えば、壁）に取り付けるための取り付け構造を後面に有し、上述した複数のボタンなどが配置されない点が前側筐体５０と異なる。図６は、筐体３０を後方から見た図である。図７は、制御装置１０の壁への取り付けを説明するための図である。なお、図６は、より詳細には、後面に金具８０が取り付けられた状態の筐体３０を後方から見た図である。
【００５２】
図６及び図７には、制御装置１０を壁８５に取り付けるための略平板状の金具８０が示されている。制御装置１０の壁８５への取り付けにおいては、まず、金具８０がネジにより壁８５に取り付けられる。具体的には、ネジ挿通孔８１に壁８５と反対側から木ネジが挿通されることにより、金具８０が壁８５にネジ止めされる。
【００５３】
次に、金具８０に筐体３０が取り付けられる。具体的には、後側筐体６０の後面の上側に設けられた凹部６１に金具８０の上端側において折り曲げられて前方に突出した上端部８２がはめ込まれる。また、金具８０の下端部に設けられ、前方にアーチ状に突出した取り付け部８３と、壁８５との隙間に、後側筐体６０の後面の下側に設けられ、下側に向かって突出した凸部６２が上から挿入される。これにより、筐体３０が壁８５に取り付けられる。凹部６１及び凸部６２は、取り付け構造の一例である。
【００５４】
なお、図７に示されるように、制御装置１０が壁８５に埋め込まれずに取り付けられる場合、筐体３０の側面が外部から視認可能となり、前側筐体５０と後側筐体６０との合わせ目（境界）が側方からユーザに見えてしまい見栄えが悪い。そこで、制御装置１０は、筐体３０の前面及び側面を覆う化粧カバー４０を備える。
【００５５】
［化粧カバー]
次に、化粧カバー４０について上述の図２を参照しながら説明する。化粧カバー４０は、筐体３０を前方から覆う。化粧カバー４０は、具体的には、筐体３０の前面及び側面（後面以外の全ての面）を実質的に覆う、後方が開口した略直方体の箱状の部材である。化粧カバー４０の前面には、スケジュールボタン７１、調光ボタン７２、ＯＦＦ／ＯＮボタン７３、表示部７０、及び、発光部７５を露出させるための複数の開口４７が設けられている。化粧カバー４０は、ＡＢＳ樹脂により形成されるが、ＰＢＴ樹脂などその他の樹脂により形成されてもよいし、金属により形成されてもよい。
【００５６】
図２に示されるように、筐体３０の上面のうち前側筐体５０と後側筐体６０との境界部分には、化粧カバー４０を取り付けるための第一の突起３１が当該境界に沿って設けられている。第一の突起３１は、Ｘ軸方向に間隔をあけて２箇所設けられる。なお、図２では図示されないが、筐体３０の下面のうち前側筐体５０と後側筐体６０との境界部分にも、化粧カバー４０を取り付けるための第一の突起が当該境界に沿って設けられている。この突起も、Ｘ軸方向に間隔をあけて２つ設けられる。
【００５７】
一方で、化粧カバー４０の、筐体３０の上面と対向する内面には、上記２つの第一の突起３１に対応して、２つの第二の突起（図示せず）が設けられる。また、化粧カバー４０の、筐体３０の下面と対向する内面には、上記２つの第一の突起に対応して、２つの第二の突起（図示せず）が設けられる。
【００５８】
化粧カバー４０を取り付ける際には、ユーザは、前方から化粧カバー４０を筐体３０に押し込む。そうすると、第二の突起が第一の突起３１を乗り越えて第一の突起３１の後ろ側に引っかかる。これにより、化粧カバー４０が筐体３０に取り付けられる。
【００５９】
［隔壁］
制御装置１０は、基板２０に実装された電源回路２２の周囲を覆い隠す隔壁９０が前板５１と一体形成されていることが特徴である。
【００６０】
従来、照明器具１１０の制御装置として、壁８５に埋め込み設置されるものが知られている。これに対し、制御装置１０は、金具８０の使用により壁８５に埋め込まずに直接設置することができる仕様である。そこで、制御装置１０は、壁８５から制御装置１０が出っ張り過ぎないように、従来の埋め込み設置される制御装置よりも、薄型化が図られている。具体的には、制御装置１０においては、一枚の基板２０に制御装置１０に使用される回路の全てを実装することにより、薄型化を図っている。言い換えれば、筐体３０は、基板２０以外に、回路が実装された基板を収容しない。
【００６１】
ここで、埋め込み設置される制御装置においては、異常発生時に発火等の危険性が高い電源回路２２が制御回路とは別の基板に実装され、当該基板が筐体内の奥側に配置されることで安全性が高められる。これに対し、壁８５に直接取り付けられ、薄型化が図られた制御装置１０においては、埋め込み設置される制御装置よりも電源回路２２が手前側に配置されるために、電源回路２２の故障時における安全性の向上が課題となる。
【００６２】
そこで、図４及び図５に示されるように、筐体３０（前側筐体５０）の前板５１には、基板２０に向かって突出し、筐体３０内において電源回路２２の周囲を囲う隔壁９０が一体形成される。上述のように隔壁９０は、具体的には、側板５４の一部である隔壁部５４ａと、側板５５の一部である隔壁部５５ａと、仕切り板５７と、仕切り板５８とからなる。
【００６３】
このような隔壁９０が防火壁となって、電源回路２２が発火した場合のユーザへの影響を低減できる。つまり、制御装置１０において、電源回路２２の故障時における安全性が向上される。
【００６４】
例えば、制御装置１０においては、前板５１のうち、平面視において隔壁９０によって囲まれた領域と重ならない領域には、ボタンが挿通される開口が設けられる。具体的には、前板５１のうち、平面視において隔壁９０によって囲まれた領域と重ならない領域には、ＯＦＦ／ＯＮボタン７３が挿通される開口７３ａが設けられる。そうすると、電源回路２２が発火したとしても、隔壁９０によりＯＦＦ／ＯＮボタン７３と開口７３ａとの隙間から出火してしまうことを抑制できる。なお、このような観点から、筐体３０の材料は、上述したＡＢＳ樹脂など、難燃性の材料が好ましい。
【００６５】
なお、電源回路２２を密閉して電源回路２２が発火した場合のユーザへの影響をさらに低減するために、仕切り板５７及び仕切り板５８は、基板２０の第一主面に当接してもよい。
【００６６】
［変形例］
以下、図８及び図９を用いて隔壁の変形例について説明する。図８及び図９は、隔壁の変形例を説明するための模式図である。なお、図８及び図９は、いずれも前側筐体を後方から見た模式図である。
【００６７】
実施の形態１では、隔壁９０は、側板５４の一部である隔壁部５４ａと、側板５５の一部である隔壁部５５ａとを利用して形成されたが、隔壁は、電源回路２２の周囲を囲めばよい。
【００６８】
例えば、図８に示される前側筐体５０ａに設けられた隔壁９０ａのように、１つの側板５４を利用して形成されてもよいし、図９に示される前側筐体５０ｂに設けられた隔壁９０ｂのように、側板とは独立に形成されてもよい。
【００６９】
なお、隔壁は、電源回路２２の全部を漏れなく囲う必要はなく、例えば、電源回路２２のうち、発火の危険性が高い一部の部品を実質的に囲めばよい。また、隔壁の平面視形状は、略矩形状に限定されず、その他の形状であってもよい。
【００７０】
［まとめ］
制御装置１０は、機器を制御するための制御装置１０である。制御装置１０は、ユーザによって操作されるボタンと、ボタンへの操作に応じて照明器具１１０を制御するための信号を出力する制御回路２１と、制御装置１０の外部から供給される交流電力を直流電力に変換し、当該直流電力を制御回路２１に供給する電源回路２２とを備える。また、制御装置１０は、第一主面を有し、第一主面に制御回路２１及び電源回路２２が実装された基板２０と、基板２０の第一主面に対向する前板５１であって、ボタンが配置される前板５１を含み、基板２０を収容する筐体とを備える。そして、前板５１には、基板２０に向かって突出し、筐体３０内で電源回路２２の周囲を囲う隔壁９０が一体形成されている。なお、機器は、具体的には、照明器具１１０であり、ボタンは、具体的には、スケジュールボタン７１、調光ボタン７２、及び、ＯＦＦ／ＯＮボタン７３などである。
【００７１】
これにより、電源回路２２が故障により発火したとしても電源回路２２が筐体３０内で隔壁９０によってさらに囲まれているため、電源回路２２の発火の、ユーザへの影響を低減できる。つまり、制御装置１０において、電源回路２２の故障時における安全性が向上される。
【００７２】
また、第一主面に垂直な方向から見た場合に、前板５１のうち、隔壁９０によって囲まれた領域と重ならない領域には、ボタンが挿通される開口が設けられてもよい。開口は、具体的には、開口７１ａ、開口７２ａ、及び、開口７３ａである。
【００７３】
これにより、電源回路２２が故障により発火したとしても、ボタンと開口との隙間から出火してしまうことを抑制できる。
【００７４】
また、筐体３０は、前板５１を含み、第一主面側から基板２０を覆う前側筐体５０と、第一主面と反対側から基板２０を覆う後側筐体６０とからなってもよい。
【００７５】
このように、例えば、前側筐体５０及び後側筐体６０の２つの部材によって筐体３０を構成することができる。
【００７６】
また、筐体３０は、基板２０の側方に位置する側板を含み、隔壁９０には、側板の一部が含まれてもよい。側板は、具体的には、側板５４及び側板５５であり、側板の一部は、具体的には、隔壁部５４ａ及び隔壁部５５ａである。
【００７７】
これにより、隔壁９０を、側板５４及び側板５５を利用して形成することができる。
【００７８】
また、第一主面に垂直な方向から見た場合の基板２０の形状は、矩形であり、電源回路２２は、第一主面の隅部に実装されてもよい。
【００７９】
このように、電源回路２２を隅部に実装することにより、隔壁９０に側板を利用しやすくなる。また、隔壁９０によって囲まれた領域と重ならない領域にボタンが挿通される開口が設けられる場合、開口が設けられる領域を確保しやすく、ボタンのレイアウトの自由度を高めることができる。
【００８０】
また、隔壁９０は、電源回路２２と制御回路２１とを隔ててもよい。
【００８１】
これにより、電源回路２２が故障により発火したときの、制御回路２１への影響を低減することができる。
【００８２】
また、制御装置１０は、さらに、筐体３０を壁８５に取り付けるための金具８０を備えてもよい。
【００８３】
これにより、ユーザは、筐体３０を壁８５に取り付けることができる。
【００８４】
また、筐体３０は、基板２０以外の、回路が実装された基板を収容しなくてもよい。
【００８５】
このように、回路（回路部品）を基板２０に集約することで、筐体３０の薄型化を図ることができる。
【００８６】
また、機器は、照明器具１１０であり、制御回路２１は、ボタンへの操作に応じて照明器具１１０を調光制御するための信号を出力してもよい。
【００８７】
これにより、制御装置１０は、照明器具１１０の調光を制御することができる。
【００８８】
（その他の実施の形態）
以上のように、本出願において開示する技術の例示として、実施の形態１を説明した。しかしながら、本発明における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態をまとめて説明する。
【００８９】
例えば、上記実施の形態では、筐体の形状は、略直方体状であるが、他の形状であってもよい。
【００９０】
また、上記実施の形態に係る制御装置は、無線通信により照明器具に制御信号を送信したが、電力線搬送通信（ＰＬＣ：Ｐｏｗｅｒ  Ｌｉｎｅ  Ｃｏｍｍｕｎｉｃａｔｉｏｎ）などの有線通信によって制御信号を送信してもよい。
【００９１】
また、上記実施の形態では、ユーザによって操作されるボタンは、ハードウェアボタンであるが、ボタンは、表示部に表示されたＧＵＩ（Ｇｒａｐｈｉｃａｌ  Ｕｓｅｒ  Ｉｎｔｅｒｆａｃｅ）とタッチパネルなどの入力デバイスとの組み合わせにより実現されてもよい。
【００９２】
また、上記実施の形態に係る制御装置は、照明器具の制御に用いられたが、本発明は、エアコンなど、その他の機器（電気機器）の制御装置として実現されてもよい。
【００９３】
以上のように、本発明における技術の例示として、実施の形態を説明した。そのために、添付図面及び詳細な説明を提供した。
【００９４】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９５】
また、上述の実施の形態は、本発明における技術を例示するためのものであるから、特許請求の範囲またはその均等の範囲において種々の変更、置き換え、付加、省略などを行うことができる。
【符号の説明】
【００９６】
１０  制御装置
２０  基板
２１  制御回路
２２  電源回路
３０  筐体
７１ａ、７２ａ、７３ａ  開口
５０、５０ａ、５０ｂ  前側筐体
５１  前板
５３、５４、５５、５６  側板
５４ａ、５５ａ  隔壁部（側板の一部）
６０  後側筐体
７１  スケジュールボタン（ボタン）
７２  調光ボタン（ボタン）
７３  ＯＦＦ／ＯＮボタン（ボタン）
８０  金具
８５  壁
９０、９０ａ、９０ｂ  隔壁
１１０  照明器具（機器）
【図１】
2017011219.tif 000003
【図２】
2017011219.tif 000004
【図３】
2017011219.tif 000005
【図４】
2017011219.tif 000006
【図５】
2017011219.tif 000007
【図６】
2017011219.tif 000008
【図７】
2017011219.tif 000009
【図８】
2017011219.tif 000010
【図９】
2017011219.tif 000011